(57)【特許請求の範囲】
【請求項１】
基材の少なくとも表面の所定部に、 沸点１００℃以上のグリコール系溶剤を含むビヒクルに対して、多孔質微粒子および蛍光物質を配合した蛍光インクを用いて形成された蛍光インク層を有してなるシートと受容シートとを組み合わせて一端を綴じたことを特徴とする複写帳票組。
【請求項２】
前記蛍光インクとして、ビヒクル１００質量部に対して蛍光物質０．１〜５質量部配合した蛍光インクを用いることを特徴とする請求項１記載の複写帳票組。
【請求項３】
前記蛍光インクとして、ビヒクル１００質量部に対して多孔質微粒子１０〜５０質量部配合した蛍光インクを用いることを特徴とする請求項１あるいは請求項２記載の複写帳票組。
【発明の詳細な説明】
【０００１】
【発明の属する技術分野】
本発明は、隠蔽（秘匿）情報を安全に保護できるとともに、偽造防止効果、改竄防止効果も高い領収書、有価証券などのシートを形成できる蛍光インクを用いた蛍光インク層を有したシートと受容シートとを組み合わせて一端を綴じた複写帳票組に関するものである。
【０００２】
【従来の技術】
従来、複写構成を有する領収書、有価証券などへの不正行為防止方策として、例えば、図３（イ）〜（ロ）に示すような混色スポットインキを用いたものや、図４（イ）〜（ロ）に示すような転写クレーインキを用いたものが知られている。
【０００３】
図３（イ）に示すように混色スポットインキ（赤又は緑）を塗布した層をノーカーボン上紙又は中紙（１Ｐ）の裏面に設け、ノーカーボン中紙又は下紙（２Ｐ）と正しく組み合わせて一端を綴じて作られた複写フォームに記入されると、部分的に紫色又は青緑色に発色する。
しかし（ロ）に示すように１Ｐ目を別の一般にあるノーカーボン用紙に取り替えて１Ｐ目と２Ｐ目に違う内容を記入する不正行為（誤った組み合わせで記入）を行うと、２Ｐ目の発色が全て青発色となり、不正行為があったことが判るようになっている。
【０００４】
転写クレーインキを用いるものは、図４（イ）に示すように転写させたい受容用パーツ（ノーカーボン中紙又は下紙）の上に樹脂凸版によるドライオフセット印刷で転写クレーインキを印刷してあるので、（ロ）に示すように記入されると、転写クレーインキが転写用パーツ（ノーカーボン上紙又は中紙）の裏面に転移（裏写り）します。
しかし、不正行為（誤った組み合わせで記入）を行うと、転写用パーツの裏面に発色が転写しないため、不正行為の有無が判るようになっている。
【０００５】
しかし、これらの方法は一旦発色すると、その後は目視可能であるとういう欠点がある。
コピーをとると隠された文字がでてくるヒドンワード（隠し文字）、印刷により疑似的な透かし効果がでる透かし印刷、紫外線を当てると隠された文字が見える蛍光発色インキ、微細な文字でできた罫線（セキュリティーライン）、あるいはトナーが剥がれないようにしたり、擦ってもとれないようにしたトナー定着性向上インキなどを用いる方法も使われているが、これらの方法は改竄防止には効果がない。
【０００６】
そこで、紫外線によって発光する蛍光物質を含み、一般光の下では無色の蛍光インク（ヒドンインク）を使用し、図５に示すように転写シートの裏面に剥離インク層を設けた上に蛍光インク層を設け、受容シートにエンボス加工を施しブロック印刷を行ったものを組み合わせて１端を綴じたタイプのものが提案されている。
そして転写シートの上方から記入すると、転写シートの蛍光インクが受容シートに転写し、この転写した潜像にＵＶランプ（俗にいうブラックライト）をもって紫外線を照射すると、蛍光物質が発光して文字などを読んだり見たりできるようになっている。例えば、カード申し込み書などの暗証番号記入欄などにこの方法を適用すれば暗証番号を見ることができず、紫外線を照射すると初めて明瞭に確認できるので、隠蔽（秘匿）情報を安全に保護できるとともに、偽造防止効果、改竄防止効果も高い。
【０００７】
【発明が解決しようとする課題】
しかし、従来の蛍光インクの内、ワックスタイプのものは基材上にホットスポットにより蛍光インク層を設けるため生産性が悪い（生産スピードが遅い）問題があり、紫外線硬化型（ＵＶ硬化型）のものは印刷法により蛍光インク層を設けることができるため生産性には優れているが、時間が経過するにつれて転写シートの蛍光インクが受容シートに転写しにくくなる問題があった。
そこで、本発明の第１の目的は、印刷法により蛍光インク層を設けることができるため生産性に優れる上、前記蛍光インクの前記受容シートへの転写性に優れ、時間が経過しても良好に転写できる蛍光インクを用いて形成された蛍光インク層を有してなる新規なシートと受容シートとを組み合わせて一端を綴じた複写帳票組を提供することである。
【０００８】
【課題を解決するための手段】
本発明者等は前記課題を解決すべく鋭意研究を重ねた結果、特定の溶剤を含むビヒクルに対して多孔質微粒子および蛍光物質を配合した蛍光インクを用いて形成された蛍光インク層を有してなる新規なシートと受容シートとを組み合わせて一端を綴じた複写帳票組とすることにより、解決できることを見出し、本発明を完成するに至った。
【０００９】
すなわち、本発明の請求項１記載の複写帳票組は、基材の少なくとも表面の所定部に、沸点１００℃以上のグリコール系溶剤を含むビヒクルに対して、多孔質微粒子および蛍光物質を配合した蛍光インクを用いて形成された蛍光インク層を有してなるシートと受容シートとを組み合わせて一端を綴じたことを特徴とする。
【００１０】
本発明の請求項２記載の複写帳票組は、請求項１記載の複写帳票組において、 前記蛍光インクとして、ビヒクル１００質量部に対して蛍光物質０．１〜５質量部配合した蛍光インクを用いることを特徴とする。
【００１１】
本発明の請求項３記載の複写帳票組は、請求項１あるいは請求項２記載の複写帳票組において、前記蛍光インクとして、ビヒクル１００質量部に対して多孔質微粒子１０〜５０質量部配合した蛍光インクを用いることを特徴とする。
【００１２】
（削除）
【００１３】
本発明で用いる蛍光インクは、印刷インキ適性に優れており、オフセット印刷などにより、基材（例えば前記転写シート）の必要な箇所に部分的な印刷やスポット印刷を行って、蛍光インク層を容易に設けることができる。
本発明で用いる蛍光インクを用いて基材（例えば前記転写シート）の必要な箇所に形成された蛍光インク層は転写性に優れており、時間が経過しても蛍光インクが容易に転写するので、例えば、カード申し込み書などの暗証番号記入欄などにこの方法を適用すれば暗証番号を見ることができず、紫外線を照射すると初めて明瞭に確認できるので、隠蔽（秘匿）情報を安全に保護できるとともに、偽造防止効果、改竄防止効果も高い。
【００１４】
【発明の実施の形態】
図１は、本発明で用いる蛍光インクを用いて基材の下面の所定部に形成された蛍光インク層を有してなる蛍光インク層を有したシートの一実施形態を説明する説明図である。
図２（イ）、（ロ）は、図１に示した本発明の蛍光インク層を有したシートと受容シートとを組み合わせて一端を綴じた複写帳票組を説明する説明図である。
【００１５】
図１に示すように、蛍光インク層を有したシート１は、基材２の下面の所定部に本発明の蛍光インクを用いて印刷して蛍光インク層３が形成されている。
【００１６】
図２（イ）に示すのは、蛍光インク層を有したシート１を、エンボス加工を施した受容シート４と組み合わせて１端を綴じた複写帳票組（例えば貯蓄預金キャッシュカード暗証番号登録票）５である。
【００１７】
そしてシート１の上方から暗証番号を記入すると、シート１の対応する蛍光インク３Ａが受容シートに容易に転写する。この転写は複写帳票組５を作ってから時間が経過しても容易に良好に起こる。そしてこの転写した潜像３ＡにＵＶランプ（ブラックライト）をもって紫外線を照射すると蛍光物質が発光して暗証番号を読んだり見たりできる。
【００１８】
本発明で用いる沸点１００℃以上のグリコール系溶剤を含むビヒクルは、印刷インキ適性に優れる上、多孔質微粒子および蛍光物質を蛍光インク層にバインドして保持、維持できるものである。
【００１９】
本発明で用いるグリコール系溶剤は、水と混合可能な中沸点および高沸点溶剤（沸点が１００℃以上のもの）であり、具体的には、例えばグリコール（グリセリン、エチレングリコール、ジエチレングリコール、トリエチレングリコール、ポリエチレングリコール、プロピレングリコール、ジプロピレングリコール）やグリコール誘導体（エチレングリコールモノメチルエーテル、エチレングリコールモノエチルエーテル、エチレングリコールモノブチルエーテル、ジエチレングリコールモノエチルエーテル、ジエチレングリコールモノブチルエーテル、エチレングリコールモノエチルエーテルアセテート、エチレングリコールモノブチルエーテルアセテート、ジエチレングリコールモノエチルエーテルアセテート、ジエチレングリコールモノブチルエーテルアセテート）など、およびこれらの２つ以上の混合物を挙げることができる。
【００２０】
本発明で用いる多孔質微粒子は無機系多孔質微粒子でも、有機系多孔質微粒子でも、あるいは両者の混合物でもよく、特に限定されるものではない。中でも無機系多孔質微粒子は好ましく使用できる。
【００２１】
無機系多孔質微粒子の具体例としては、例えば、シリカ微粒子では、ミズカシルＰ−５２６、Ｐ−８０１、Ｐ−５２７、Ｐ−６０３、Ｐ８３２、Ｐ−７３、Ｐ−７８Ａ、Ｐ−７８Ｆ、Ｐ−８７、Ｐ−７０５、Ｐ−７０７、Ｐ−７０７Ｄ（水沢化学社製）、Ｎｉｐｓｉｌ  Ｅ２００、Ｅ２２０、ＳＳ−１０Ｆ、ＳＳ−１５、ＳＳ−５０（日本シリカ工業社製）、ＳＹＬＹＳＩＡ７３０、３１０（富士シリシア化学社製）など、炭酸カルシウム微粒子では、Ｂｒｉｌｌｉａｎｔ−１５、Ｂｒｉｌｌｉａｎｔ−Ｓ１５、Ｕｎｉｂｕｒ−７０、ＰＺ、ＰＸ、ツネックスＥ、Ｖｉｇｏｔ−１０、Ｖｉｇｏｔｏ−１５、Ｕｎｉｆａｎｔ−１５ＦＲ、Ｂｒｉｌｌｉａｎｔ−１５００、ホモカルＤ、ゲルトン５０（白石工業社製）などを、スルホ・アルミン酸カルシウム微粒子では、サチンホワイトＳＷ、ＳＷ−Ｂ、ＳＷ−ＢＬ（（白石工業社製）などを、アルミナ微粒子では、ＡＬ−４１Ｇ、ＡＬ−４１、ＡＬ−４２、ＡＬ−４３、ＡＬ−４４、ＡＬ−４１Ｅ、ＡＬ−４２Ｅ、ＡＬ−Ｍ４１、ＡＬ−Ｍ４２、ＡＬ−Ｍ４３、ＡＬ−Ｍ４４、ＡＬ−Ｓ４３、ＡＭ−２１、ＡＭ−２２、ＡＭ−２５、ＡＭ−２７（住友化学社製）、酸化アルミニウムＣ（日本アエロジル社製）などを、二酸化チタン微粒子では二酸化チタンＴ８０５、Ｐ２５（日本アエロジル社製）などを挙げることができる。
【００２２】
有機系多孔質微粒子の具体例としては、例えば、四フッ化エチレン樹脂（三井デュポンフルオロケミカル社  テフロン３０Ｊ）、六フッ化ビニリデン樹脂（ダイキン工業  ネオフロンＣＴＦＥ）、三フッ化塩化エチレン樹脂（ダイキン工業  ネオフロンＶＤＦ）、六フッ化プロピレン樹脂（ダイキン工業  ネオフロンＦＥＰ）、フッ化エチレン−プロピレン共重合体樹脂（三井デュポンフルオロケミカル社  テフロン１２０Ｊ）、各種デンプン系微粒子、微粒状アクリル樹脂、微粒状メタクリル樹脂などが挙げられる。
これらの多孔質微粒子は単独で用いてもよいし、２種以上組み合わせて用いてもよい。
【００２３】
本発明で用いる多孔質微粒子の配合量は特に限定されるものではないが、好ましくはビヒクル１００質量部に対して、多孔質微粒子を１０〜５０質量部、より好ましくは２０〜４０質量部配合することが望ましい。１０質量部未満では蛍光インクの転写性を改善できない恐れがあり、５０質量部を超えると粘度が高くなり印刷インク適性が低下する恐れがあるので、いずれも好ましくない。
【００２４】
本発明における蛍光インクの蛍光物質は、蛍光インク（ヒドンインク）に一般的に用いられている蛍光物質を使用することができる。蛍光物質の具体例としては、例えばスチルベン、４，４’−ジアミノスチルベン、ビフェニル、複素５員環（トリアゾール、オキサゾール、イミダゾールなど）、複素６員環（クマリン、ナフタルイミド、ｓ−トリアジンなど）の誘導体などの蛍光増白剤（メーカー名；例えば昭和化学社、昭和化工社、日曹社、化薬社、三井社、住友社、大東社、チバ社、バイエル社など）を挙げることができる。
【００２５】
本発明で用いる蛍光物質の配合量は特に限定されるものではないが、好ましくはビヒクル１００質量部に対して、蛍光物質を０．１〜５質量部、より好ましくは０．２〜４質量部配合することが望ましい。０．１質量部未満では蛍光量が少なく発光を確認できない恐れがあり、５質量部を超えても蛍光量が増えず不経済となる。
【００２６】
本発明で用いる蛍光インクには、さらに、所望に応じて慣用されている添加成分、例えば、反応性希釈剤、粘着付与剤、粘度調整剤、酸化防止剤、ｐＨ調節剤、消泡剤、各種安定剤、着色剤、滑剤、増感剤、安定剤などを含有させることもできる。
【００２７】
本発明で用いる蛍光インクは、凸版印刷、グラビア印刷法などの凹版印刷、オフセット方式などの平板印刷、スクリーン印刷およびインクジェット方式その他の通常用いられる印刷方法で基材の少なくとも表面の所定部に塗工し、必要に応じて乾燥して、蛍光インク層を形成することができる。
【００２８】
本発明で用いる基材としては、上質紙、アート紙、コート紙、ミラーコート紙、コンデンサー紙、パラフィン紙、その他の紙の他に、それにオーバーコート層（保護層）をもつ用紙やフィルムなどの他に、合成紙、あるいはポリエチレン、透明性を有するポリエチレンテレフタレート、ポリプロピレン、塩化ビニルなどの合成フィルムを用いることもできる。これらの合成フィルムを用いる場合には基材の表面をマット処理、コロナ処理などの表面処理を施すのが好ましい。
また基材面への塗工量は、特に限定されないが、例えば１〜３０ｇ／ｍ2 、好ましくは３〜２０ｇ／ｍ2 、さらに好ましくは５〜１５ｇ／ｍ2 とする。
【００２９】
なお、本発明は上記実施形態に限定されるものではないので、特許請求の範囲に記載の趣旨から逸脱しない範囲で各種の変形実施が可能である。
【００３０】
【実施例】
以下実施例および比較例により本発明を更に詳しく説明するが、本発明はこれら実施例に何ら制約されるものではない。
（実施例１）
グリセリン５質量部とジエチレングリコール９５質量部を混合する。この混合液（ビヒクル）に多孔質微粒子〈商品名：サイロスフェア１５０４（富士シリシア社製）〉３２．５質量部と蛍光物質〈商品名：Ｋａｙａｐｈｏｒ  Ｓ  ｌｉｑｕｉｄ（日本化薬社製）〉２．５質量部とを三本ロールミルを使用して混練して、本発明で用いる蛍光インクを調製した。
次に、得られた本発明で用いる蛍光インクを用いて４０ｋｇ連量の複写用紙２上に樹脂凸版を使用して１．８ｇ／ｍ2 になるように印刷し図１に示す蛍光インク層３を有してなるシート１を作った。
【００３１】
図２に示すように、シート１を、別にエンボス加工を施した５５ｋｇ連量の上質紙４と重ね合わせて１端を綴じた複写帳票組５を作った後、描画試験機（荷重２５０ｋｇ）を用いて、蛍光インク層３の転写テストを行った。そして転写された部分３Ａにブラックライトを照射して転写された部分３Ａの蛍光発色を確認した。
テスト結果、転写された部分３Ａの蛍光発色をはっきりと確認できた。
経時変化をテストするために、シート１を５０℃オーブン中に１週間放置後、同様のテストを行った結果、転写された部分３Ａの蛍光発色が薄くなることがなく、蛍光発色をはっきりと確認できた。
【００３２】
（実施例２）
実施例１で使用したビヒクルを、エチレングリコール１５質量部とプロピレングリコール８５質量部のビヒクルに替えた以外は実施例１と同様にして転写テストおよび経時変化テストを行った結果、実施例１と同様な良好な結果が得られた。
【００３３】
（実施例３）
実施例１で用いた多孔質微粒子を沈降性炭酸カルシウム〈商品名：Ｂｒｉｌｌｉａｎｔ−１５（白石工業社製）〉に替えた以外は実施例１と同様にして転写テストおよび経時変化テストを行った結果、実施例１と同様な良好な結果が得られた。
【００３４】
（実施例４）
実施例１で用いた蛍光物質を〈商品名：Ｋａｙａｐｈｏｒ  ＳＮ  ｌｉｑｕｉｄ（日本化薬社製）〉に替えた以外は実施例１と同様にして転写テストおよび経時変化テストを行った結果、実施例１と同様な良好な結果が得られた。
【００３５】
（比較例１）
実施例１で使用した本発明で用いる蛍光インクの替わりに、市販の蛍光インク〈商品名：ＴＯＫＡ  ＢＰ−７（Ｔ＆Ｋ  ＴＯＫＡ社製）〉を使用した以外は実施例１と同様にして転写テストおよび経時変化テストを行った。
転写テストの結果、実施例１と同様な良好な結果が得られたが、経時変化テストの結果、転写された部分３Ａの蛍光発色が明らかに薄くなった。
【００３６】
【発明の効果】
本発明の請求項１記載の複写帳票組は、基材の少なくとも表面の所定部に、 沸点１００℃以上のグリコール系溶剤を含むビヒクルに対して、多孔質微粒子および蛍光物質を配合した蛍光インクを用いて形成された蛍光インク層を有してなるシートと受容シートとを組み合わせて一端を綴じたことを特徴とするものであり、
構成が簡単で、安価な上、本発明で用いる蛍光インクは、沸点１００℃以上のグリコール系溶剤を含むビヒクルに対して、多孔質微粒子および蛍光物質を配合したので、印刷インキ適性に優れており、オフセット印刷などにより、基材の必要な箇所に部分的な印刷やスポット印刷を行って、蛍光インク層を容易に設けることができる上、時間が経過しても蛍光インク（ヒドンインク）が容易に転写するので、例えば、カード申し込み書などの暗証番号記入欄などにこの方法を適用すれば暗証番号を見ることができず、紫外線を照射すると初めて明瞭に確認できるので、隠蔽（秘匿）情報を安全に保護できるとともに、偽造防止効果、改竄防止効果も高いという顕著な効果を奏する。
【００３７】
本発明の請求項２記載の複写帳票組は、前記蛍光インクとして、ビヒクル１００質量部に対して蛍光物質０．１〜５質量部配合した蛍光インクを用いたので、請求項１記載の複写帳票組と同様な効果を奏するととともに、経済的で、紫外線を照射した時の蛍光量が十分あり明瞭に確認できるというさらなる顕著な効果を奏する。
【００３８】
本発明の請求項３記載の複写帳票組は、前記蛍光インクとして、ビヒクル１００質量部に対して多孔質微粒子１０〜５０質量部配合した蛍光インクを用いたので、請求項１記載の複写帳票組と同様な効果を奏するととともに、印刷性を損なわずに効率よく効果的に偽造防止効果、改竄防止効果が得られるというさらなる顕著な効果を奏する。
【００３９】
（削除）
【図面の簡単な説明】
【図１】  本発明で用いる蛍光インク層を有したシートの一実施形態の概略的な断面説明図である。
【図２】  （イ）は図１に示した本発明の蛍光インク層を有したシートに他の受容シートを重ね合わせて１端を綴じてなる複写帳票組の説明図であり、（ロ）は暗証番号などを記入して蛍光インクを受容シート上に転写した状態説明図である。
【図３】  混色スポットインキを用いた従来の不正行為防止用シートの例を示す説明図である。
【図４】  転写クレーインキを用いた従来の不正行為防止用シートの例を示す説明図である。
【図５】  蛍光インキ（ヒドンインク）を用いた従来の不正行為防止用シートの例を示す説明図である。
【符号の説明】
１  本発明で用いる蛍光インク層を有したシート
２  基材
３  蛍光インク層
４  受容シート
５  複写帳票組
【図１】
0004780743.tif 000002
【図２】
0004780743.tif 000003
【図３】
0004780743.tif 000004
【図４】
0004780743.tif 000005
【図５】
0004780743.tif 000006